【手続補正書】
【提出日】平成28年5月19日(2016.5.19)
【手続補正１】
【補正対象書類名】明細書
【補正対象項目名】０００３
【補正方法】変更
【補正の内容】
【０００３】
燃焼排ガスから水銀を除去する最も有望な解決策の１つは、活性炭注入（ＡＣＩ）である。活性炭は、容易に調達でき、高度に多孔質の非毒性材料であり、水銀蒸気に高い親和性を示す。この技術は、都市ごみ焼却炉で使用するため、すでに確立されている。前記ＡＣＩ技術は水銀除去に効果的であるが、活性炭と燃焼排ガスとの接触時間が短いと、前記活性炭の完全な吸着能力が効率的に利用されない。水銀は、炭素が燃焼排ガスに運ばれる間、ボイラーからのフライアッシュと一緒に吸着される。炭素およびフライアッシュは、電気集塵装置（ＥＳＰ）またはバグハウスなどの微粒子捕捉装置によって取り除かれる。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第１，９８４，１６４号明細書
（特許文献２）  米国特許第３，１９４，６２９号明細書
（特許文献３）  米国特許第４，１９６，１７３号明細書
（特許文献４）  米国特許第４，４９１，６０９号明細書
（特許文献５）  米国特許第４，５００，３２７号明細書
（特許文献６）  米国特許第４，７０８，８５３号明細書
（特許文献７）  米国特許第５，０１９，１６２号明細書
（特許文献８）  米国特許第５，０６４，８０５号明細書
（特許文献９）  米国特許第５，１８７，１４１号明細書
（特許文献１０）  米国特許第５，３３６，８３５号明細書
（特許文献１１）  米国特許第５，４３５，９８０号明細書
（特許文献１２）  米国特許第５，６９５，７２６号明細書
（特許文献１３）  米国特許第５，７２６，１１８号明細書
（特許文献１４）  米国特許第６，５８９，３１８号明細書
（特許文献１５）  米国特許第６，６３８，３４７号明細書
（特許文献１６）  米国特許第６，７１９，８２８号明細書
（特許文献１７）  米国特許第６，８０８，６９２号明細書
（特許文献１８）  米国特許第６，８１８，０４３号明細書
（特許文献１９）  米国特許第６，８４８，３７４号明細書
（特許文献２０）  米国特許第６，８７８，３５８号明細書
（特許文献２１）  米国特許第６，９５３，４９４号明細書
（特許文献２２）  米国特許第６，９６０，３２９号明細書
（特許文献２３）  米国特許第７，４０４，９４０号明細書
（特許文献２４）  米国特許第７，４３５，２８６号明細書
（特許文献２５）  米国特許第７，５１４，０５２号明細書
（特許文献２６）  米国特許第８，０８０，０８８号明細書
（特許文献２７）  米国特許第８，１６８，１４７号明細書
（特許文献２８）  米国特許第８，３０９，０４６号明細書
（特許文献２９）  米国特許出願公開第２００４／０００３７１６号明細書
（特許文献３０）  米国特許出願公開第２００４／００１３５８９号明細書
（特許文献３１）  米国特許出願公開第２００４／００７４３９１号明細書
（特許文献３２）  米国特許出願公開第２００４／０２４４６５７号明細書
（特許文献３３）  米国特許出願公開第２００５／００３９５９８号明細書
（特許文献３４）  米国特許出願公開第２００５／０１４７５４９号明細書
（特許文献３５）  米国特許出願公開第２００６／００５１２７０号明細書
（特許文献３６）  米国特許出願公開第２００６／００４８６４６号明細書
（特許文献３７）  米国特許出願公開第２００６／００９０６４６号明細書
（特許文献３８）  米国特許出願公開第２００６／０２０４４１８号明細書
（特許文献３９）  米国特許出願公開第２００６／０２０５５９２号明細書
（特許文献４０）  米国特許出願公開第２００７／０１２２３２７号明細書
（特許文献４１）  米国特許出願公開第２００７／０１８０９９０号明細書
（特許文献４２）  米国特許出願公開第２００７／０２３４９０２号明細書
（特許文献４３）  米国特許出願公開第２００８／０１３４８８８号明細書
（特許文献４４）  米国特許出願公開第２００８／０２７４８７４号明細書
（特許文献４５）  米国特許出願公開第２００９／００１０８２８号明細書
（特許文献４６）  米国特許出願公開第２００９／０００７７８５号明細書
（特許文献４７）  米国特許出願公開第２００９／０１３６４０１号明細書
（特許文献４８）  米国特許出願公開第２０１２／０１０００５３号明細書
（特許文献４９）  米国特許出願公開第２０１２／０１８３４５８号明細書
（特許文献５０）  米国特許出願公開第２０１０／００２５３０２号明細書
（特許文献５１）  米国特許出願公開第２０１１／００７６２１０号明細書
（特許文献５２）  米国特許第８，０５７，５７６号明細書
（特許文献５３）  米国特許出願公開第２００９／００８１０９２号明細書
（特許文献５４）  米国特許出願公開第２００７／０２３４９０２号明細書
（特許文献５５）  独国特許発明第５８８５３１号明細書４  
（特許文献５６）  特開昭４９−５３５９１号公報
（特許文献５７）  特開昭４９−５３５９２号公報
（特許文献５８）  欧州特許出願公開第０２８９８０９号明細書
（特許文献５９）  国際公開第２００７／１１２２４８号
（特許文献６０）  国際公開第２０１１／１２７３２３号
（特許文献６１）  国際公開第２０１２／０３０５６０号
（特許文献６２）  カナダ国特許出願公開第２０３６７４６号明細書 
（特許文献６３）  国際公開第０３／０９３５１８号
（非特許文献）
（非特許文献１）  ＧＬＥＩＳＥＲ  ｅｔ  ａｌ．，"Ｃｏｎｔｒｏｌ  ｏｆ  Ｍｅｒｃｕｒｙ  ｆｒｏｍ  ＭＳＷ  Ｃｏｍｂｕｓｔｏｒｓ  ｂｙ  Ｓｐｒａｙ  Ｄｒｙｅｒ  Ａｂｓｏｒｐｔｉｏｎ  Ｓｙｓｔｅｍｓ  ａｎｄ  Ａｃｔｉｖａｔｅｄ  Ｃａｒｂｏｎ  Ｉｎｊｅｃｔｉｏｎ"，Ｐｒｏｃｅｅｄｉｎｇｓ  ｏｆ  ａｎ  Ｉｎｔｅｒｎａｔｉｏｎａｌ  Ｓｐｅｃｉａｌｔｙ  Ｃｏｎｆｅｒｅｎｃｅ，Ｗｉｌｌｉａｍｓｂｕｒｇ，Ｖｉｒｇｉｎｉａ，Ｍａｒｃｈ  １９９３．
（非特許文献２）  ＧＲＡＮＩＴＥ  ｅｔ  ａｌ．，"Ｎｏｖｅｌ  Ｓｏｒｂｅｎｔｓ  ｆｏｒ  Ｍｅｒｃｕｒｙ  Ｒｅｍｏｖａｌ  ｆｒｏｍ  Ｆｌｕｅ  Ｇａｓ"，Ｉｎｄｕｓｔｒｉａｌ  &  Ｅｎｇｉｎｅｅｒｉｎｇ  Ｃｈｅｍｉｓｔｒｙ  Ｒｅｓｅａｒｃｈ  （Ａｐｒｉｌ  ２０００），３９（４）：１０２０−１０２９．
（非特許文献３）  Ｏｆｆｉｃｅ  ｏｆ  Ｉｎｓｐｅｃｔｏｒ  Ｇｅｎｅｒａｌ，Ｅｖａｌｕａｔｉｏｎ  Ｒｅｐｏｒｔ：  Ａｄｄｉｔｉｏｎａｌ  Ａｎａｌｙｓｅｓ  ｏｆ  Ｍｅｒｃｕｒｙ  Ｅｍｉｓｓｉｏｎｓ  Ｎｅｅｄｅｄ  Ｂｅｆｏｒｅ  ＥＰＡ  Ｆｉｎａｌｉｚｅｓ  Ｒｕｌｅｓ  ｆｏｒ  Ｃｏａｌ−Ｆｉｒｅｄ  Ｅｌｅｃｔｒｉｃ  Ｕｔｉｌｉｔｉｅｓ，Ｒｅｐｏｒｔ  Ｎｏ．２００５−Ｐ−００００３，Ｆｅｂｒｕａｒｙ  ３，２００５，ｐｐ．１−５４．
（非特許文献４）  ＷＨＩＴＥ  ｅｔ  ａｌ．"Ｐａｒａｍｅｔｒｉｃ  Ｅｖａｌｕａｔｉｏｎ  ｏｆ  Ｐｏｗｄｅｒｅｄ  Ａｃｔｉｖａｔｅｄ  Ｃａｒｂｏｎ  Ｉｎｊｅｃｔｉｏｎ  ｆｏｒ  Ｃｏｎｔｒｏｌ  ｏｆ  Ｍｅｒｃｕｒｙ  Ｅｍｉｓｓｉｏｎｓ  ｆｒｏｍ  ａ  Ｍｕｎｉｃｉｐａｌ  Ｗａｓｔｅ  Ｃｏｍｂｕｓｔｏｒ，"Ｐａｐｅｒ  Ｎｏ．９２−４０．０６，１９９２  Ａｎｎｕａｌ  Ｍｅｅｔｉｎｇ，Ａｉｒ  ａｎｄ  Ｗａｓｔｅ  Ｍａｎａｇｅｍｅｎｔ  Ａｓｓｏｃｉａｔｉｏｎ，Ｋａｎｓａｓ  Ｃｉｔｙ，Ｍｉｓｓｏｕｒｉ，Ｊｕｎｅ  １９９２．
（非特許文献５）  Ｂ−ＰＡＣＴＭ  Ｈｉｇｈ  Ｐｅｒｆｏｒｍａｎｃｅ  Ｍｅｒｃｕｒｙ  Ｓｏｒｂｅｎｔ，Ｊａｎｕａｒｙ  １，２００４，ｒｅｔｒｉｅｖｅｄ  ｆｒｏｍ  ｉｎｔｅｒｎｅｔ  Ｍａｙ  １６，２０１４  ａｔ  ｈｔｔｐｓ：／／ｗｗｗ．ａｌｂｅｒｍａｒｌｅ．ｃｏｍ
（非特許文献６）  ＦＥＮＧ  ｅｔ  ａｌ．，"Ｅｎｖｉｒｏｎｍｅｎｔａｌ  Ｆｕｎｃｔｉｏｎ  Ｍａｔｅｒｉａｌ，"Ｃｈｅｍｉｃａｌ  Ｉｎｄｕｓｔｒｙ  Ｐｒｅｓｓ，ｐａｇｅ  １３６
（非特許文献７）  Ｅｕｒｏｐｅａｎ  Ｓｅａｒｃｈ  Ｒｅｐｏｒｔ  （Ｓｕｐｐｌｅｍｅｎｔａｒｙ）  ｆｏｒ  ｃｏｒｒｅｓｐｏｎｄｉｎｇ  Ｅｕｒｏｐｅａｎ  Ａｐｐｌｉｃａｔｉｏｎ  Ｎｏ．１３８０４６３３  ｄａｔｅｄ  Ｆｅｂｒｕａｒｙ  ８，２０１６
（非特許文献８）  Ｉｎｔｅｒｎａｔｉｏｎａｌ  Ｓｅａｒｃｈ  Ｒｅｐｏｒｔ  ｄａｔｅｄ  Ｏｃｔｏｂｅｒ  １１，２０１３  ｒｅｃｅｉｖｅｄ  ｆｏｒ  ｃｏｒｒｅｓｐｏｎｄｉｎｇ  ＰＣＴ／ＵＳ２０１３／０４５０６１
（非特許文献９）  ＹＡＮ  ｅｔ  ａｌ．，Ｂｅｎｃｈ−Ｓｃａｌｅ  Ｅｘｐｅｒｉｍｅｎｔａｌ  Ｅｖａｌｕａｔｉｏｎ  ｏｆ  Ｃａｒｂｏｎ  Ｐｅｒｆｏｒｍａｎｃｅ  ｏｎ  Ｍｅｒｃｕｒｙ  Ｖａｐｏｕｒ  Ａｄｓｏｒｐｔｉｏｎ，ｐｐ．２４０１−２４０９  （２００４）；  Ｆｕｅｌ  ８３
（非特許文献１０）  ＧＨＯＲＩＳＨＩ  ｅｔ  ａｌ．，Ａｎ  Ｅｘｐｅｒｉｍｅｎｔａｌ  Ｓｔｕｄｙ  ｏｆ  Ｍｅｒｃｕｒｙ  Ｓｏｒｐｔｉｏｎ  ｂｙ  Ａｃｔｉｖａｔｅｄ  Ｃａｒｂｏｎｓ  ａｎｄ  Ｃａｌｃｉｕｍ  Ｈｙｄｒｏｘｉｄｅ，ｐｐ．１−１４  （１９９８），ｐｕｂｌｉｓｈｅｄ  ｐａｐｅｒ  １０／９６−３−９７；  ＥＰＡ，Ｏｆｆｉｃｅ  ｏｆ  Ｒｅｓｅａｒｃｈ  ａｎｄ  Ｄｅｖｅｌｏｐｍｅｎｔ，Ａｉｒ  Ｐｏｌｌｕｔｉｏｎ  Ｐｒｅｖｅｎｔｉｏｎ  &  Ｃｏｎｔｒｏｌ  Ｄｉｖｉｓｉｏｎ，ｐｒｅｓｅｎｔｅｄ  ａｔ  Ｎｏｒｔｈ  Ａｍｅｒｉｃａｎ  Ｗａｓｔｅ  ｔｏ  Ｅｎｅｒｇｙ  Ｃｏｎｆｅｒｅｎｃｅ（Ａｐｒｉｌ  １９９７）
（非特許文献１１）  ＭＵＬＬＥＲ  ｅｔ  ａｌ．，Ｒｅｍｏｖａｌ  ｏｆ  Ｅｌｅｍｅｎｔａｌ  Ｍｅｒｃｕｒｙ  ｆｒｏｍ  Ｂａｙｅｒ  Ｓｔａｃｋ  Ｕｓｉｎｇ  Ｓｕｌｆｕｒ−Ｉｍｐｒｅｇｎａｔｅｄ  Ａｃｔｉｖａｔｅｄ  Ｃａｒｂｏｎｓ，ｐｐ．１３３−１４２  （２０１２），Ｃｈｅｍｉｃａｌ  Ｅｎｇｉｎｅｅｒｉｎｇ  Ｊｏｕｒｎａｌ  ２１１−２１２
（非特許文献１２）  ＬＥＥ  ｅｔ  ａｌ．，Ｇａｓ−Ｐｈａｓｅ  Ｍｅｒｃｕｒｙ  ｒｅｍｏｖａｌ  ｂｙ  Ｃａｒｂｏｎ−Ｂａｓｅｄ  Ｓｏｒｂｅｎｔｓ，ｐｐ．１９７−２０６  （２００３），Ｆｕｅｌ  Ｐｒｏｃｅｓｓｉｎｇ  Ｔｅｃｈｎｏｌｏｇｙ  ８４
（非特許文献１３）  ＬＯＵ  ｅｔ  ａｌ．，Ｓｔａｂｉｌｉｔｙ  ｏｆ  Ｍｅｒｃｕｒｙ  ｏｎ  Ｔｈｒｅｅ  Ａｃｔｉｖａｔｅｄ  Ｃａｒｂｏｎ  Ｓｏｒｂｅｎｔｓ，ｐｐ．６７９−６８５，（２００６），Ｆｕｅｌ  Ｐｒｏｃｅｓｓｉｎｇ  Ｔｅｃｈｎｏｌｏｇｙ  ８７
（非特許文献１４）  ＵＤＤＩＮ  ｅｔ  ａｌ．，Ｒｏｌｅ  ｏｆ  ＳＯ２  ｆｏｒ  Ｅｌｅｍｅｎｔａｌ  Ｍｅｒｃｕｒｙ  Ｒｅｍｏｖａｌ  ｆｒｏｍ  Ｃｏａｌ  Ｃｏｍｂｕｓｔｉｏｎ  Ｆｌｕｅ  Ｇａｓ  ｂｙ  Ａｃｔｉｖａｔｅｄ  Ｃａｒｂｏｎ，ｐｐ．２２８４−２２８９（２００８），Ｅｎｅｒｇｙ  &  Ｆｕｅｌｓ，Ｖｏｌ．２２，Ｎｏ．４